(57)【要約】【課題】室内機12と室外機13との配線14の途中に接続するだけで、室外機13を個別に省エネ制御やデマンド制御などの制御ができる空調機制御装置21を提供する。【解決手段】室内機12から室外機13へリレー電圧を印加する配線14の途中に、空調機制御装置21の中継配線経路35を接続する。室内機12からのリレー電圧が中継配線経路35に印加することで、タイマ30が動作し、タイマ30が計時を開始する。タイマ30の計時開始から予め設定された運転停止時間帯毎に中継配線経路35のリレー接点34bをオフし、室外機13の運転を所定時間停止させる。室内機12と室外機13との配線14の途中に空調機制御装置21に接続するだけで、室外機13を個別に省エネ制御やデマンド制御などの運転抑制制御ができ、費用を抑えて運転抑制制御を実施できる。【選択図】図１
2008051350.tif 000002
【特許請求の範囲】
【請求項１】
室外機を運転させる電圧を室内機から室外機へ印加する配線の途中が接続される中継配線経路と、
この中継配線経路を開成、閉成する開閉器と、
前記中継配線経路に電圧が印加されることにより計時を開始し、この計時開始から予め設定された運転停止時間帯毎に前記開閉器を開成させるとともに運転停止時間帯以外の運転時間帯に前記開閉器を閉成させるタイマと
を具備していることを特徴とする空調機制御装置。
【請求項２】
中継配線経路には、電源が供給されている室外機を運転させるリレー電圧を室内機から室外機へ印加する配線の途中が接続され、
開閉器は、前記室内機から室外機へ印加するリレー電圧を供給、遮断する
ことを特徴とする請求項１記載の空調機制御装置。
【請求項３】
中継配線経路には、室外機を運転させる電源を室内機から室外機へ供給する電源用の配線の途中が接続され、
開閉器は、前記室内機から室外機へ供給する電源を供給、遮断する
ことを特徴とする請求項１記載の空調機制御装置。
【請求項４】
タイマは、計時開始からの運転停止時間帯が異なる複数の運転停止時間帯パターンのうちのいずれか１つの運転停止時間帯パターンが予め設定されている
ことを特徴とする請求項１ないし３いずれか記載の空調機制御装置。
【請求項５】
室内機および室外機を有する複数の空調機と、
これら各空調機に接続され、各空調機毎に異なる運転停止時間帯パターンが設定されている請求項４記載の空調機制御装置と
を具備していることを特徴とする空調機システム。
【請求項６】
複数の空調機を同時に起動させる起動手段を具備している
ことを特徴とする請求項５記載の空調機システム。
【発明の詳細な説明】
【技術分野】
【０００１】
本発明は、室内機および室外機を備えた空調機の空調機制御装置および空調機システムに関する。
【背景技術】
【０００２】
例えば、室内機および室外機を備えた複数の空調機が設置されている事業所などでは、空調機の使用に対して節電を図ったりピーク電力を抑制する場合に、各空調機の室外機毎に定期的に運転を抑えたり停止させるなどのいわゆる省エネ制御やデマンド制御といった運転抑制制御を実施する空調機システムが採用されている。
【０００３】
従来、デマンド制御を実施する空調機システムでは、１つの集中制御装置とこの集中制御装置の制御で動作する複数の室外機とが用いられ、これら集中制御装置と複数の室外機とが通信可能な配線で接続されている。そして、集中制御装置により、各室外機毎に運転を抑制する集中制御によるデマンド制御を実施している（例えば、特許文献１参照）。
【特許文献１】特開２０００−１８６８４４号公報（第２−３頁、図１）
【発明の開示】
【発明が解決しようとする課題】
【０００４】
しかしながら、集中制御によるデマンド制御を実施する空調機システムでは、集中制御装置およびこの集中制御装置で制御可能な複数の室外機が必要であり、これら集中制御装置および複数の室外機の設置工事や集中制御装置と複数の室外機とを接続する配線工事なども必要であり、空調機システムを設置するには費用が高く、簡単ではない問題がある。さらに、室外機の増設や減設が簡単ではない問題もある。また、集中制御装置が故障した場合には、全ての室外機が動作不能となる問題がある。
【０００５】
本発明は、このような点に鑑みなされたもので、集中制御装置およびこの集中制御装置で制御可能な室外機やこれらの設置工事およびこれらを接続する配線工事などが必要なく、室内機と室外機との配線の途中を空調機制御装置に接続するだけで、簡単に設置できて、室外機を個別に省エネ制御やデマンド制御などの運転抑制制御ができ、特に既設の空調機にこの運転抑制制御を実施するための費用を安く抑えることができる空調機制御装置および空調機システムを提供することを目的とする。
【課題を解決するための手段】
【０００６】
請求項１記載の空調機制御装置は、室外機を運転させる電圧を室内機から室外機へ印加する配線の途中が接続される中継配線経路と、この中継配線経路を開成、閉成する開閉器と、前記中継配線経路に電圧が印加されることにより計時を開始し、この計時開始から予め設定された運転停止時間帯毎に前記開閉器を開成させるとともに運転停止時間帯以外の運転時間帯に前記開閉器を閉成させるタイマとを具備しているものである。
【０００７】
請求項２記載の空調機制御装置は、請求項１記載の空調機制御装置において、中継配線経路には、電源が供給されている室外機を運転させるリレー電圧を室内機から室外機へ印加する配線の途中が接続され、開閉器は、前記室内機から室外機へ印加するリレー電圧を供給、遮断するものである。
【０００８】
請求項３記載の空調機制御装置は、請求項１記載の空調機制御装置において、中継配線経路には、室外機を運転させる電源を室内機から室外機へ供給する電源用の配線の途中が接続され、開閉器は、前記室内機から室外機へ供給する電源を供給、遮断するものである。
【０００９】
請求項４記載の空調機制御装置は、請求項１ないし３いずれか記載の空調機制御装置において、タイマは、計時開始からの運転停止時間帯が異なる複数の運転停止時間帯パターンのうちのいずれか１つの運転停止時間帯パターンが予め設定されているものである。
【００１０】
請求項５記載の空調機システムは、室内機および室外機を有する複数の空調機と、これら各空調機に接続され、各空調機毎に異なる運転停止時間帯パターンが設定されている請求項４記載の空調機制御装置とを具備しているものである。
【００１１】
請求項６記載の空調機システムは、請求項５記載の空調機システムにおいて、複数の空調機を同時に起動させる起動手段を具備しているものである。
【発明の効果】
【００１２】
請求項１記載の空調機制御装置によれば、室外機を運転させる電圧を室内機から室外機へ印加する配線の途中を中継配線経路に接続することにより、この中継配線経路に室内機からの電圧が印加されることでタイマが計時を開始し、このタイマの計時開始から予め設定された運転停止時間帯毎に中継配線経路の開閉器を開成し、室外機の運転を所定時間停止させることができるため、従来の集中制御型のような集中制御装置およびこの集中制御装置で制御可能な室外機やこれらの設置工事およびこれらを接続する配線工事などが必要なく、室内機と室外機との配線の途中を空調機制御装置に接続するだけで、簡単に設置できて、室外機を個別に省エネ制御やデマンド制御などの運転抑制制御ができ、この運転抑制制御を実施するための費用を安く抑えることができる。
【００１３】
請求項２記載の空調機制御装置によれば、請求項１記載の空調機制御装置の効果に加えて、電源が供給されている室外機を運転させるリレー電圧を室内機から室外機へ印加するタイプの場合に、開閉器で室内機から室外機へ印加するリレー電圧を供給、遮断することにより、室外機を個別に運転抑制制御ができる。
【００１４】
請求項３記載の空調機制御装置によれば、請求項１記載の空調機制御装置の効果に加えて、室外機を運転させる電源を室内機から室外機へ供給するタイプの場合に、開閉器で室内機から室外機へ供給する電源を供給、遮断することにより、室外機を個別に運転抑制制御ができる。
【００１５】
請求項４記載の空調機制御装置によれば、請求項１ないし３いずれか記載の空調機制御装置の効果に加えて、タイマには、計時開始からの運転停止時間帯が異なる複数の運転停止時間帯パターンのうちのいずれか１つの運転停止時間帯パターンが予め設定されているため、例えば、複数の室外機が設置されている場合にこれら室外機を異なる時間帯に運転停止させることが可能となり、複数の室外機を備える空調機システムにも対応可能となる。
【００１６】
請求項５記載の空調機システムによれば、複数の空調機毎に異なる運転停止時間帯パターンが設定されている請求項４記載の空調機制御装置を接続したため、分散制御型とし、複数の空調機の室外機を異なる時間帯に個別に運転停止させることができ、快適な環境を維持しつつ省エネ制御やデマンド制御などの運転抑制制御ができる空調機システムを簡単かつ安価に実施できる。
【００１７】
請求項６記載の空調機システムによれば、請求項５記載の空調機システムの効果に加えて、起動手段により複数の空調機を同時に起動させるため、タイマの計時開始の基準を一致させ、複数の空調機の室外機を異なる時間帯に確実に運転停止させることができる。
【発明を実施するための最良の形態】
【００１８】
以下、本発明の実施の形態を図面を参照して説明する。
【００１９】
図１ないし図４に第１の実施の形態を示す。
【００２０】
図１に示すように、11は室外機リレー制御型の空調機で、この空調機11は、室内機12および室外機13を有し、これら室内機12および室外機13にそれぞれ電源が供給され、室内機12と室外機13との間には室外機13を運転させるために室内機12から室外機13にリレー電圧を印加する２線の配線14が接続されている。
【００２１】
室外機13は、室内機12から配線14を通じてリレー電圧が印加されることにより、室外機13が備えるリレーがオンし、このリレーのオンで室外機13の圧縮機やファンなどを駆動する運転状態となり、また、リレー電圧が遮断されることにより、室外機13が備えるリレーがオフし、このリレーのオフで室外機13の圧縮機やファンなどが停止する停止状態となる。
【００２２】
また、室内機12と室外機13との間の配線14の途中に、室外機13を省エネ制御やデマンド制御などの運転抑制制御するための空調機制御装置21が接続されている。この空調機制御装置21は、室外機13の位置に設置されている。
【００２３】
空調機制御装置21は、室外機13に供給される例えばＡＣ２００Ｖの電源を取り出した電源線22が接続される端子23，24、室内機12と室外機13との間の配線14が接続される端子25，26，27を有している。室内機12からの配線14は端子25，26に接続され、室外機13からの配線14は端子26，27に接続されている。
【００２４】
端子23には、電源スイッチ28およびヒューズ29の直列回路が接続されている。これら電源スイッチ28およびヒューズ29の直列回路と端子24との間には、タイマ30とリレー31のリレー接点31aとの直列回路、タイマ30のタイマ接点30bと制御オフ表示用の表示ランプ32との直列回路、タイマ30のタイマ接点30aと省エネ中表示用の表示ランプ33およびリレー34との直列回路が並列に接続されている。
【００２５】
端子25，27には、配線14の一方を中継する中継配線経路35が接続され、この中継配線経路35にリレー34の開閉器としてのリレー接点34bが配設されている。中継配線経路35の端子25およびリレー接点34bの間と端子26との間にリレー31が接続されている。
【００２６】
そして、タイマ30のタイマ接点30a，30bは、タイマ30の動作によって、一方がオン、他方がオフするように連動して切り換わる。タイマ30は、リレー31の動作でリレー接点31aがオンして電源が供給されることにより計時を開始し、この計時開始から予め設定された運転停止時間帯毎にタイマ接点30aをオンし、リレー34を動作させてリレー接点34bをオフさせ、また、運転停止時間帯以外の運転時間帯にタイマ接点30aをオフし、リレー34の動作を停止させてリレー接点34bをオンさせる。
【００２７】
このタイマ30は、図２に示すように、計時開始からの運転停止時間帯ｘが異なるＡ〜Ｆの運転停止時間帯パターンのうちのいずれか１つの運転停止時間帯パターンが予め設定されている。Ａ〜Ｆの運転停止時間帯パターンは、３０分を５分単位に区切り、５分ずつずれるように設定されている。
【００２８】
次に、図３に示すように、空調機制御装置21は、この空調機制御装置21の回路構成を収納するケース36を有し、このケース36の一端面に、電源スイッチ28、ヒューズ29、表示ランプ32，33が配置されている。
【００２９】
次に、図４に示すように、例えば事業所などに設置される空調機システム41では、複数台の空調機11を用いている。これら複数の空調機11は、例えばブレーカなどの起動手段42によって同時に電源がオンオフされ、すなわち同時に起動可能に構成されている。
【００３０】
各空調機11には、各空調機11毎に異なるＡ〜Ｆの運転停止時間帯パターンが設定された各空調機制御装置21が設置されている。
【００３１】
なお、空調機11は、１つの室外機13に対して、１つの室内機12が組み合わされている場合、あるいは複数の室内機12が組み合わされている場合も含まれる。
【００３２】
次に、本実施の形態の作用を説明する。
【００３３】
起動手段42がオフで、かつ空調機11の空調機制御装置21の電源スイッチ28をオンしている待機状態では、リレー接点31aがオフ、タイマ接点30bがオン、タイマ接点30aがオフ、リレー接点34bがオンの状態にある。
【００３４】
起動手段42のオンで、複数の空調機11に電源を同時に供給し、複数の空調機11を同時に起動させる。起動した各空調機11では、室外機13を運転させるために室内機12から配線14にリレー電圧を印加する。
【００３５】
ここで、Ｂの運転停止時間帯パターンが設定された空調機制御装置21が接続されている空調機11を例にとって動作を説明する。
【００３６】
室内機12から配線14に印加されたリレー電圧が空調機制御装置21の端子25，26に入力されるため、リレー31が動作してリレー接点31aがオンし、タイマ30が計時を開始する。
【００３７】
Ｂの運転停止時間帯パターンではタイマ30の計時開始直後は運転時間帯であるため、タイマ30のタイマ接点30aはオフ状態にあり、リレー34は動作せず、このリレー34のリレー接点34bはオン状態にある。そのため、中継配線経路35を通じて室内機12から室外機13にリレー電圧を印加し、室外機13が備えたリレーが動作し、室外機13が運転を開始する。
【００３８】
このとき、タイマ30のタイマ接点30bはオン状態にあるため、表示ランプ32が点灯し、省エネ制御していない制御オフ中であることを表示する。
【００３９】
タイマ30の計時開始から５分経過して運転時間帯から運転停止時間帯に入ることにより、タイマ30のタイマ接点30aがオンし、リレー34が動作してリレー接点34bがオフする。そのため、中継配線経路35を通じて室内機12から室外機13に印加されていたリレー電圧を遮断し、室外機13が備えたリレーの動作が停止し、室外機13が運転を停止する。
【００４０】
このとき、タイマ30のタイマ接点30bのオフで表示ランプ32が消灯し、タイマ接点30aのオンで表示ランプ33が点灯し、省エネ中であることを表示する。
【００４１】
タイマ30の計時開始から１０分経過して運転停止時間帯から運転時間帯に入ることにより、タイマ30のタイマ接点30aがオフし、リレー34の動作が停止し、このリレー34のリレー接点34bがオンする。そのため、中継配線経路35を通じて室内機12から室外機13にリレー電圧を印加し、室外機13が備えたリレーが動作し、室外機13が運転を再開する。
【００４２】
このように、空調機制御装置21では、端子25，26にリレー電圧が印加されている間、３０分毎に５分間ずつ室外機13の運転を停止するように制御を繰り返す。空調機11が連続運転している場合に対する省エネ率は、５分／３０分＝１６．７％となる。
【００４３】
室外機13を停止させるために室内機12から室外機13に印加するリレー電圧を停止することにより、空調機制御装置21の端子25，26にリレー電圧が入らなくなるため、リレー31の動作が停止してリレー接点31aがオフし、タイマ30の動作が停止する。したがって、空調機制御装置21は、待機状態となる。
【００４４】
そして、各空調機11には、異なるＡ〜Ｆの運転停止時間帯パターンが設定された各空調機制御装置21が設置されているため、各空調機11毎に運転停止時間帯をずらし、ピーク電力を抑制するデマンド制御ができる。このように１つの空調機11の室外機13の運転を停止した場合でも、室内機12による送風を継続することにより、および隣接する他の空調機11では室外機13を運転しているために、室外機13の運転停止による影響を少なくできる。
【００４５】
以上のように、室外機13を運転させるリレー電圧を室内機12から室外機13へ印加する配線14の途中を空調機制御装置21の中継配線経路35に接続することにより、この中継配線経路35に室内機12からのリレー電圧が印加されることでタイマ30が計時を開始し、このタイマ30の計時開始から予め設定された運転停止時間帯毎に中継配線経路35のリレー接点34bをオフし、室外機13の運転を所定時間停止させることができる。
【００４６】
そのため、従来の集中制御型のような集中制御装置およびこの集中制御装置で制御可能な室外機やこれらの設置工事およびこれらを接続する配線工事などが必要なく、室内機12と室外機13との配線14の途中を空調機制御装置21に接続するだけで、簡単に工事できて、室外機13を個別に省エネ制御やデマンド制御などの運転抑制制御ができ、この運転抑制制御を実施するための費用を安く抑えることができる。
【００４７】
また、分散制御型であるため、従来の集中制御型のように集中制御装置が故障した場合に全ての空調機が停止してしまうようなことがなく、ある空調機制御装置21が故障した場合にはその空調機制御装置21による室外機13の制御を停止するが、通常の室外機13の運転は継続し、また、他の室外機13は運転させることができる。
【００４８】
しかも、タイマ30には、計時開始からの運転停止時間帯が異なる複数の運転停止時間帯パターンのうちのいずれか１つの運転停止時間帯パターンが予め設定されているため、例えば、複数の室外機13が設置されている場合にこれら室外機13を異なる時間帯に運転停止させることが可能となり、複数の室外機13を備える空調機システム41にも対応可能となる。
【００４９】
また、空調機制御装置21は、室外機13に簡単に取り付けることができるように小形軽量にできている。そのため、室外機13側に空調機制御装置21を設置するだけでよいため、室外機13の増設、減設に容易に対応できる。
【００５０】
また、空調機システム41として、複数の空調機11毎に異なる運転停止時間帯パターンが設定されている空調機制御装置21を接続したため、集中制御せずに、複数の空調機11の室外機13を異なる時間帯に個別に運転停止させることができ、省エネ制御やデマンド制御などの運転抑制制御ができる空調機システム41を簡単かつ安価に実施できる。
【００５１】
この空調機システム41において、起動手段42により複数の空調機11を同時に起動させるため、タイマ30の計時開始の基準を一致させ、複数の空調機11の室外機13を異なる時間帯に確実に運転停止させることができる。
【００５２】
次に、図５に第２の実施の形態を示す。
【００５３】
なお、空調機制御装置21の制御対象とする空調機11の形式が第１の実施の形態と異なるもので、空調機制御装置21および空調機システム41などの基本構成は第１の実施の形態と同様であり、主に相違点について説明する。
【００５４】
室外機電源制御型の空調機11を示し、この空調機11は、室内機12および室外機13を有し、室内機12に電源が供給され、室内機12と室外機13との間には室外機13を運転させるために室内機12から室外機13に電源を供給する電源線である３線の配線51が接続されている。
【００５５】
室外機13は、室内機12から配線51を通じて電源が供給されることにより、室外機13の圧縮機やファンなどを駆動する運転状態となり、また、電源の供給が遮断されることにより、室外機13の圧縮機やファンなどが停止する停止状態となる。
【００５６】
また、室内機12と室外機13との間の配線51の途中に、室外機13を省エネ制御やデマンド制御などの運転抑制制御するための空調機制御装置21が接続されている。この空調機制御装置21は、室外機13の位置に設置されている。
【００５７】
空調機制御装置21は、室内機12からの配線51が接続される端子52，53，54、室外機13からの配線51が接続される端子55，56，57を有している。
【００５８】
端子52には、電源スイッチ28およびヒューズ29の直列回路が接続されている。これら電源スイッチ28およびヒューズ29の直列回路と端子53との間には、タイマ30、タイマ30のタイマ接点30bと制御オフ表示用の表示ランプ32との直列回路、タイマ30のタイマ接点30aと省エネ中表示用の表示ランプ33およびリレー58との直列回路が並列に接続されている。
【００５９】
端子52，53，54と端子55，56，57とはそれぞれ中継配線経路59で接続されている。この中継配線経路59に開閉器としてのマグネットスイッチ60が配設されている。マグネットスイッチ60は、端子52，53に接続される給電経路61を通じて電源がオンオフされることで中継配線経路59を開閉し、この給電経路61にリレー58のリレー接点58aが接続されている。
【００６０】
そして、タイマ30のタイマ接点30a，30bは、タイマ30の動作によって、一方がオン、他方がオフするように連動して切り換わる。タイマ30は、室内機12から電源が供給されることにより計時を開始し、この計時開始から予め設定された運転停止時間帯毎にタイマ接点30aをオンし、リレー58を動作させてリレー接点58aをオンさせることでマグネットスイッチ60をオフさせ、また、運転停止時間帯以外の運転時間帯にタイマ接点30aをオフし、リレー58の動作を停止させてリレー接点58aをオフさせることでマグネットスイッチ60をオンさせる。
【００６１】
次に、第２の実施の形態の作用を説明する。
【００６２】
空調機11の空調機制御装置21の電源スイッチ28をオンしている待機状態では、タイマ30のタイマ接点30bがオン、タイマ接点30aがオフ、リレー接点58aがオフで、マグネットスイッチ60がオンの状態にある。
【００６３】
空調機11を起動させることにより、室外機13を運転させるために室内機12から配線51に電源を供給する。
【００６４】
ここで、Ｂの運転停止時間帯パターンが設定された空調機制御装置21が接続されている空調機11を例にとって動作を説明する。
【００６５】
室内機12から配線51に供給された電源が空調機制御装置21の端子52，53，54に入力されるため、タイマ30に給電され、タイマ30が計時を開始する。
【００６６】
Ｂの運転停止時間帯パターンではタイマ30の計時開始直後は運転時間帯であるため、タイマ30のタイマ接点30aはオフ状態にあり、リレー58は動作せず、このリレー58のリレー接点58aはオフし、マグネットスイッチ60がオン状態にある。そのため、中継配線経路59を通じて室内機12から室外機13に電源を供給し、室外機13が運転を開始する。
【００６７】
このとき、タイマ30のタイマ接点30bはオン状態にあるため、表示ランプ32が点灯し、省エネ制御していない制御オフ中であることを表示する。
【００６８】
タイマ30の計時開始から５分経過して運転時間帯から運転停止時間帯に入ることにより、タイマ30のタイマ接点30aがオンし、リレー58が動作してリレー接点58aがオンし、マグネットスイッチ60がオフする。そのため、中継配線経路59を通じて室内機12から室外機13に供給されていた電源を遮断し、室外機13が運転を停止する。
【００６９】
このとき、タイマ30のタイマ接点30bのオフで表示ランプ32が消灯し、タイマ接点30aのオンで表示ランプ33が点灯し、省エネ中であることを表示する。
【００７０】
タイマ30の計時開始から１０分経過して運転停止時間帯から運転時間帯に入ることにより、タイマ30のタイマ接点30aがオフし、リレー58の動作が停止し、このリレー58のリレー接点58aがオフし、マグネットスイッチ60がオンする。そのため、中継配線経路59を通じて室内機12から室外機13に電源を供給し、室外機13が運転を再開する。
【００７１】
このように、空調機制御装置21では、室内機12から端子52，53，54に電源が供給されている間、３０分毎に５分間ずつ室外機13の運転を停止するように制御を繰り返す。空調機11が連続運転している場合に対する省エネ率は、５分／３０分＝１６．７％となる。
【００７２】
室外機13を停止させるために室内機12から室外機13に供給する電源を停止することにより、空調機制御装置21の端子52，53，54に電源が入らなくなるため、タイマ30の動作が停止する。したがって、空調機制御装置21は、待機状態となる。
【００７３】
このように、室外機13を運転させる電源を室内機12から室外機13へ供給する配線51の途中を空調機制御装置21の中継配線経路59に接続することにより、この中継配線経路59に室内機12からの電源が供給されることでタイマ30が計時を開始し、このタイマ30の計時開始から予め設定された運転停止時間帯毎に中継配線経路59のマグネットスイッチ60をオフし、室外機13の運転を所定時間停止させることができるため、従来のような集中制御装置およびこの集中制御装置で制御可能な室外機やこれらの設置工事およびこれらを接続する配線工事などが必要なく、室内機12と室外機13との配線51の途中を空調機制御装置21に接続するだけで、簡単に設置できて、室外機13を個別に省エネ制御やデマンド制御などの運転抑制制御ができ、この運転抑制制御を実施するための費用を安く抑えることができる。
【００７４】
なお、複数の空調機が設置される空調機システム41に限らず、１つの空調機11のみが設置される場合でも、室内機12と室外機13との配線途中に空調機制御装置21を接続して制御することもできる。
【００７５】
また、タイマ30の計時開始からの運転停止時間帯の設定は、設置後にも調整できるようにしてもよい。
【図面の簡単な説明】
【００７６】
【図１】本発明の第１の実施の形態を示す空調機制御装置の構成図である。
【図２】同上空調機制御装置に設定される運転停止時間帯パターンのタイミングチャートである。
【図３】同上空調機制御装置を示し、(a)は正面図、(b)は平面図である。
【図４】同上空調機制御装置を適用する空調機システムの構成図である。
【図５】本発明の第２の実施の形態を示す空調機制御装置の構成図である。
【符号の説明】
【００７７】
11    空調機
12    室内機
13    室外機
14    配線
21    空調機制御装置
30    タイマ
34b   開閉器としてのリレー接点
35    中継配線経路
41    空調機システム
42    起動手段
51    配線
59    中継配線経路
60    開閉器としてのマグネットスイッチ
【図１】
2008051350.tif 000003
【図２】
2008051350.tif 000004
【図３】
2008051350.tif 000005
【図４】
2008051350.tif 000006
【図５】
2008051350.tif 000007